(57)【要約】【課題】流速による防波管の外側と内側における圧力水頭差を小さくし、測定水位誤差を減少させる防波管を提供する。【解決手段】防波管２１は、蓋部材４に穿たれた嵌入孔４ａに嵌入され、固定部材５によって固定されているものとする。さらに、前記防波管２１には、導通孔６が、圧力式水位計が挿通される配管の側周に、該防波管２１の軸方向に長く形成され、その軸方向に沿った該導通孔６を一組と見做し、その一組が軸対称を成し側周に複数穿孔されている。なお、Ａ−Ａ線は、防波管２１の中心軸である。【選択図】図１
2008128688.tif 000002
【特許請求の範囲】
【請求項１】
防波管であって、
圧力式水位計が挿通される配管の側周に、
導通孔が、前記防波管の軸方向に長く形成され、
その軸方向に沿った該導通孔を一組と見做し、
その一組が軸対称を成し側周に複数穿孔された、
ことを特徴とする防波管。
【請求項２】
防波管であって、
圧力式水位計が挿通される配管の側周に、
導通孔が、前記防波管の一方の開口部から他方の開口部まで軸方向に沿ってスリット状に形成され、
軸対称を成し側周に複数穿孔された、
ことを特徴とする防波管。
【請求項３】
請求項１または２に記載の防波管であって、特定の面積を有する前記導通孔が穿孔されたことを特徴とする防波管。
【発明の詳細な説明】
【技術分野】
【０００１】
本発明は、水位測定技術、特に水位計の防波管に関するものである。
【背景技術】
【０００２】
現在、上水，下水，河川，都市下水路における水位計測には、投込式水位計が利用されている。
【０００３】
投込式水位計は、液面下に沈められた検出器と、その検出器から伸びた中空パイプ入りケーブルで接続された変換器と、を有する水位計である。例えば、前記の投込式水位計には、大気圧変動を小さくする機構を有するものがある。即ち、通気孔を穿孔した中空パイプによって、空気を出入りさせ、大気圧変動に伴う応答遅れ誤差を小さくできる投込式水位計である（例えば、特許文献１参照）。
【０００４】
また、投込式水位計には、検出器（例えば、図３中の符号１で示すもの）を液中に設置し、液圧を検出することによって、液面の高さを測定する水位計（以下、投込圧力式水位計）も知られている。なお、前記の投込圧力式水位計は、円筒型配管（以後、防波管と称する；例えば、図３中の符号２で示すもの）に検出器１を挿通した形式のものが多い（例えば、特許文献２参照）。また、検出器１は、中心軸が防波管２の中心軸方向Ａ−Ａ（以下、単に軸方向Ａ−Ａという）に合わせて設置されることが好ましい。
【０００５】
一般的な投込圧力式水位計及び防波管の構成を図３に基づいて以下に説明する。
【０００６】
図３中の防波管２は、蓋部材４に形成された嵌入孔４ａに嵌入され、固定部材５によって蓋部材４に固定される。また、前記の防波管２の水底面１０１方向に形成された開口部（以下、単に水底面方向開口部と言う）２ａが、水底面１０１より上位になるように、防波管２は設置される。
【０００７】
図３中の検出器１は、通常、前記の防波管２の水底方向開口部２ａとは反対側の開口部（以後、水上方向開口部と称する）２ｂから挿入され、検出器１の検出部１ａが少なくとも最低水位１００より下位に位置し、かつ、水底方向開口部２ａより上位に位置するように設置される。
【０００８】
図３中の蓋部材４は、なお、最高水位より上位になるように設置される。
【０００９】
以上のような投込圧力式水位計は、波，結氷，浮遊物，強風などの水面の状況に影響されずに、水位を測定できるものである。
【特許文献１】特開平９−３３３１６（段落［００１２］〜［００２１］等）。
【特許文献２】特許第３２３４９７０号（段落［０００７］〜［０００８］等）。
【発明の開示】
【発明が解決しようとする課題】
【００１０】
前述のような投込圧力式水位計では、投込圧力式水位計が受ける流水の速さ（即ち、流速）が速くなると、防波管の外側と内側間で水圧に差が生じ、結果的に、防波管内の圧力が変化する。
【００１１】
即ち、検出器が前記の速い流速の影響を受けてしまい、水位計測に誤差を生じさせることになる。
【００１２】
図４は、図３のような投込圧力式水位計における圧力を示す概略図である。図４に適応されるベルヌーイの定理を以下に説明する。なお、以下の式における記号の意味は、Ｖ：流速、ｇ：重力の加速度、Ｚ：基準面からの高さ、ｐ：圧力、ω：流体の比重量である。
【００１３】
図４では、ベルヌーイの定理により、速度水頭
【００１４】
【数１】
2008128688.tif 000003
【００１５】
，位置水頭
【００１６】
【数２】
2008128688.tif 000004
【００１７】
，圧力水頭
【００１８】
【数３】
2008128688.tif 000005
【００１９】
の和（即ち、全水頭）が一定である（式１）。ただし、位置水頭が防波管の内外で同じになるため、式１では位置水頭を無視している。
【００２０】
【数４】
2008128688.tif 000006
【００２１】
なお、図４中では、以下の（式１´）ように表される。図４中の符号の意味は、α1：防波管外の流速、α2：防波管内の流速、β1：防波管外の圧力水頭、β2：防波管内の圧力水頭である。
【００２２】
【数５】
2008128688.tif 000007
【００２３】
即ち、防波管下部の流速が摩擦などによって損失した場合、圧力水頭が式１に基づいて防波管の周囲の流速に対し変化する。
【００２４】
例えば、速度水頭が上昇すると圧力水頭が降下し、逆に、速度水頭が降下すると圧力水頭が上昇する。
【００２５】
本発明は、前記課題に基づいてなされたものであって、流速による防波管の外側と内側における圧力水頭差を小さくし、測定水位誤差を減少させる防波管を提供することにある。
【課題を解決するための手段】
【００２６】
前記課題の解決を図るために、請求項１記載の発明は、防波管であって、圧力式水位計が挿通される配管の側周に、導通孔が、前記防波管の軸方向に長く形成され、その軸方向に沿った該導通孔を一組と見做し、その一組が軸対称を成し側周に複数穿孔された、ことを特徴とする。
【００２７】
請求項２記載の発明は、防波管であって、圧力式水位計が挿通される配管の側周に、導通孔が、前記防波管の一方の開口部から他方の開口部まで軸方向に沿ってスリット状に形成され、軸対称を成し側周に複数穿孔された、ことを特徴とする。
【００２８】
請求項３記載の発明は、請求項１または２に記載の発明において、特定の面積を有する前記導通孔が穿孔されたことを特徴とする。
【００２９】
前記の請求項１の発明によれば、防波管の外側と内側における圧力水頭差を小さくできる。また、導通孔より大きい障害物が防波管内へ侵入することも阻止できる。
【００３０】
前記の請求項２の発明によれば、防波管の外側と内側における圧力水頭差を小さくできる。また、導通孔を広く形成できる。
【００３１】
前記の請求項３の発明によれば、防波管の外側と内側における圧力水頭差を導通孔の面積に応じて調整できる。
【発明の効果】
【００３２】
以上示したように請求項１の発明によれば、防波管内への障害物侵入を阻止しつつ、圧力水頭差を小さくでき、流速による測定水位誤差を小さくできる。
【００３３】
請求項２の発明によれば、導通孔を広く形成できるため、その広く形成できた分だけ圧力水頭差を小さくでき、流速による測定水位誤差を小さくできる。
【００３４】
請求項３の発明によれば、流速による測定水位誤差を導通孔の面積に応じて調整できる。
【００３５】
これらを以って水位測定技術の分野に貢献できる。
【発明を実施するための最良の形態】
【００３６】
以下、本発明の実施の第１乃至第２形態における防波管を図面等に基づいて詳細に説明する。
【００３７】
本発明における実施の第１乃至第２形態は、特定の面積を有する導通孔が、側周に均等（例えば、軸方向に関して等距離，周方向に関して等距離）に穿孔された防波管である。
【００３８】
［本実施の第１形態］
本実施の第１形態は、円筒型配管であって、この配管の軸方向に長い導通孔が、この配管軸対称に配置され、かつ、流水の当たる面に関して均等に、側周に複数穿孔された防波管である。
【００３９】
本実施の第１形態における防波管を図１（側面図）に基づいて以下に説明する。
【００４０】
なお、図１中で図３中の符号と同じものの説明は省略する。図１中のＡ−Ａ線は、防波管２１の中心軸である。また、図１中の防波管２１は、図３中の防波管２と同様に、蓋部材４に穿たれた嵌入孔４ａに嵌入され、固定部材５によって固定されているものとする。
【００４１】
防波管２１には、配管軸方向に長い導通孔６が、軸方向に沿った複数孔を一組とし、さらに、その一組が軸対称を形成している。例えば、図１中の導通孔６は、軸方向に４個並んだ導通孔６を一組とし、さらに、その組が周方向に４組並び、計１６個の導通孔６が穿孔されている。
【００４２】
また、軸方向に並ぶ導通孔６は、最低水位１００から上に形成されることが望ましい。また、前記の導通孔６は、防波管２１内に通されるケーブルを動かさないために、例えば、水流方向に向けないよう（例えば、水流方向に対して垂直）に穿孔されることが望ましい。
【００４３】
なお、軸方向に並ぶ４個の導通孔６の面積は、防波管２１に流水の当たる面積（即ち、防波管２１の半円筒部分の面積）に対して約５％程度に形成されている。
【００４４】
［本実施の第２形態］
本実施の第２形態は、円筒型配管であって、一方の開口部から他方の開口部まで軸方向に沿って伸びたスリット状の導通孔が、軸対称に配置され、かつ、流水の当たる面に関して均等に、側周に複数穿孔された防波管である。
【００４５】
本実施の第２形態における防波管を図２（側面図）に基づいて以下に説明する。
【００４６】
なお、図２中で図３中の符号と同じものの説明は省略する。図２中のＡ−Ａ線は、防波管２２の中心軸である。また、図２中の防波管２２は、図３中の防波管２と同様に、蓋部材４に穿たれた嵌入孔４ａに嵌入され、固定部材５によって固定されているものとする。
【００４７】
防波管２２には、軸方向に沿って水底方向開口部２２ａから水上方向開口部２２ｂに伸びたスリット状の導通孔６１が側周に穿孔されている。さらに、導通孔６１は、軸対称を形成している。例えば、図２中の導通孔６１は、４個穿孔されている。
【００４８】
また、前記の導通孔６１は、最低水位１００から上に形成されることが望ましい。導通孔６１は、防波管２２内に通されるケーブルを動かさないために、例えば、水流方向に向けないように穿孔されることが望ましい。
【００４９】
なお、１個当たりの導通孔６１の面積は、防波管２２に流水の当たる面積（即ち、防波管２２の半円筒部分の面積）に対して約８％程度に形成されている。
【００５０】
以上のような本実施の第１乃至第２形態における防波管は、塩化ビニール樹脂製管に穿孔して作成されることもあるが、強度を必要とする場合、ＳＵＳ（Ｓｔａｉｎｌｅｓｓ  Ｕｓｅｄ  Ｓｔｅｅｌ）管に穿孔して作成することもある。
【００５１】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００５２】
例えば、本実施の第１乃至第２形態の変形例としては、全ての導通孔の和に関する特定条件を満たしつつ、導通孔を更に小さくして、編み目のように形成しても良い。
【図面の簡単な説明】
【００５３】
【図１】本実施の第１形態における防波管の側面図。
【図２】本実施の第２形態における防波管の側面図。
【図３】一般的な投込圧力式水位計及び防波管の断面図。
【図４】防波管の内外側における圧力の説明図。
【符号の説明】
【００５４】
１…検出器
１ａ…検出部
２，２１，２２…防波管
２ａ，２１ａ，２２ａ…水底方向開口部
２ｂ，２１ｂ，２２ｂ…水上方向開口部
３…ケーブル
４…蓋部材
４ａ…嵌入孔
５…固定部材
６，６１…導通孔
１００…最低水位
１０１…水底面
α1，α2…速度水頭
β1，β2…圧力水頭
【図１】
2008128688.tif 000008
【図２】
2008128688.tif 000009
【図３】
2008128688.tif 000010
【図４】
2008128688.tif 000011